【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
画像読み取り手段で読み取った画像をファイル化して外部へ送信する画像処理装置であって、
前記画像読み取り手段で読み取られる画像の送信先の情報処理装置を選択する選択手段と、
前記選択手段により選択された送信先の情報処理装置に係る登録情報を取得し、前記登録情報に基づいて、本画像処理装置において画像の回転を必要とする情報処理装置か否かを判断する判断手段と、
前記判断手段において画像の回転を必要としない情報処理装置であると判断された場合、画像の回転処理を行わず、前記情報処理装置に、前記読み取り画像を送信し、一方、前記判断手段において画像の回転を必要とする情報処理装置であると判断された場合、画像の回転処理を行って、前記情報処理装置に、回転処理された画像を送信する送信制御手段と、
を有する画像処理装置。
【請求項２】
前記送信制御手段は、前記判断手段において画像の回転を必要としない情報処理装置であると判断された場合、画像の回転処理を行わず、前記情報処理装置に、 前記読み取り画像の回転方向に係る回転方向情報を付加した前記読み取り画像を送信する請求項１に記載の画像処理装置。
【請求項３】
前記回転方向情報には、少なくとも、画像に係る原稿の読み取り方向情報と、画像に係る原稿の読み取り設定情報と、画像に係る原稿の開き方向情報と、の内、何れか１つ以上の情報が含まれる請求項２に記載の画像処理装置。
【請求項４】
ネットワークを介して通信可能な情報処理装置より、画像の回転を制御することが可能であることを示す回転可能情報を含む、前記登録情報を受信する登録情報受信手段と、
前記登録情報受信手段により受信された登録情報にしたがって、前記選択手段により送信先として選択する際の送信先の選択肢を設定する送信先設定手段と、
を更に有する請求項１乃至３の何れか１項に記載の画像処理装置。
【請求項５】
画像の回転を制御することが可能であることを示す回転可能情報を含む、登録情報を作成する登録情報作成手段と、
前記登録情報作成手段により作成された登録情報を、ネットワークを介して通信可能な画像処理装置に送信する登録依頼情報送信手段と、
前記画像処理装置より、前記画像処理装置において読み取られた読み取り画像を受信する画像受信手段と、
を有する情報処理装置。
【請求項６】
画像の回転を制御する画像回転制御手段と、
前記画像受信手段により受信された前記読み取り画像に、画像の回転方向に係る回転方向情報が付加されているか判断する判断手段と、
を更に有し、
前記判断手段により前記読み取り画像に回転方向情報が付加されていることと判断した場合に、前記画像回転制御手段は、前記回転方向情報に基づいて、前記読み取り画像を回転させる請求項５に記載の情報処理装置。
【請求項７】
前記回転方向情報には、少なくとも、画像に係る原稿の読み取り方向情報と、画像に係る原稿の読み取り設定情報と、画像に係る原稿の開き方向情報と、の内、何れか１つ以上の情報が含まれる請求項６に記載の情報処理装置。
【請求項８】
特定のフォルダにファイルが投入されたことを検知する検知手段を更に有し、
前記受信手段により受信された読み取り画像のファイルが、前記特定のフォルダに投入されたことを前記検知手段が検知した場合に、前記判断手段による判断が行われる請求項６又は７に記載の情報処理装置。
【請求項９】
画像読み取り手段で読み取った画像をファイル化して外部へ送信する画像処理装置が実行する画像処理方法であって、
前記画像読み取り手段で読み取られる画像の送信先の情報処理装置を選択する選択ステップと、
前記選択ステップにおいて選択された送信先の情報処理装置に係る登録情報を取得し、前記登録情報に基づいて、本画像処理装置において画像の回転を必要とする情報処理装置か否かを判断する判断ステップと、
前記判断ステップにおいて画像の回転を必要としない情報処理装置であると判断された場合、画像の回転処理を行わず、前記情報処理装置に、前記読み取り画像 を送信し、一方、前記判断ステップにおいて画像の回転を必要とする情報処理装置であると判断された場合、画像の回転処理を行って、前記情報処理装置に、回 転処理された画像を送信する送信制御ステップと、
を有する画像処理方法。
【請求項１０】
前記送信制御ステップでは、前記判断ステップにおいて画像の回転を必要としない情報処理装置であると判断された場合、画像の回転処理を行わず、前記情報処 理装置に、前記読み取り画像の回転方向に係る回転方向情報を付加した前記読み取り画像を送信する請求項９に記載の画像処理方法。
【請求項１１】
情報処理装置が実行する情報処理方法であって、
画像の回転を制御することが可能であることを示す回転可能情報を含む、登録情報を作成する登録情報作成ステップと、
前記登録情報作成ステップにより作成された登録情報を、ネットワークを介して通信可能な画像処理装置に送信する登録依頼情報送信ステップと、
前記画像処理装置より、前記画像処理装置において読み取られた読み取り画像を受信する画像受信ステップと、
を有する情報処理方法。
【請求項１２】
画像の回転を制御する画像回転制御ステップと、
前記画像受信ステップにより受信された前記読み取り画像に、画像の回転方向に係る回転方向情報が付加されているか判断する判断ステップと、
を更に有し、
前記判断ステップにおいて、前記読み取り画像に回転方向情報が付加されていることと判断した場合に、前記画像回転制御ステップは、前記回転方向情報に基づいて、前記読み取り画像を回転させる請求項１１に記載の情報処理方法。
【請求項１３】
請求項９又は１０に記載の画像処理方法をコンピュータに実行させるプログラム。
【請求項１４】
請求項１１又は１２に記載の情報処理方法をコンピュータに実行させるプログラム。
【請求項１５】
請求項１３又は１４に記載のプログラムを記憶したコンピュータ読み取り可能な記憶媒体。
【手続補正２】
【補正対象書類名】明細書
【補正対象項目名】００１１
【補正方法】変更
【補正の内容】
【００１１】
そこで、本発明は、画像読み取り手段で読み取った画像をファイル化して外部へ送信する画像処理装置であって、前記画像読み取り手段で読み取られる画像の送信先の情報処理装置を選択する選択手段と、前記選択手段により選択された送信先の情報処理装置に係る登録情報を取得し、前記登録情報に基づいて、本画像処理装置において画像の回転を必要とする情報処理装置か否かを判断する判断手段と、前記判断手段において画像の回転を必要としない情報処理装置であると判断された場合、画像の回転処理を行わず、前記情報処理装置に、前記読み取り画像を送 信し、一方、前記判断手段において画像の回転を必要とする情報処理装置であると判断された場合、画像の回転処理を行って、前記情報処理装置に、回転処理された画像を送信する送信制御手段と、を有する。
【手続補正３】
【補正対象書類名】明細書
【補正対象項目名】００１４
【補正方法】変更
【補正の内容】
【００１４】
また、本発明の情報処理装置は、画像の回転を制御することが可能であることを示す回転可能情報を含む、登録情報を作成する登録情報作成手段と、前記登録情報作成手段により作成された登録情報を、ネットワークを介して通信可能な画像処理装置に送信する登録依頼情報送信手段と、前記画像処理装置より、前記画像処理装置において読み取られた読み取り画像を受信する画像受信手段と、を有する。